(57)【要約】      （修正有）【課題】使用者の刻々と変わる体重を反映した活動量と、その他の血圧計や体重計等による生体情報を確実に、かつ毎日遅滞なく測定することが可能で、又集団検診など使用者が多数の場合でも測定データの識別が容易な健康増進装置を提供する。【解決手段】情報通信端末５は，活動量計２から送信される使用者番号Ｉｄに基づき生体情報データを識別してデータ記憶部に記憶する記憶制御手段を有する。生体情報測定手段３によって測定された生体情報データ中の特定生体情報データを情報通信端末５、リーダライタ５３を経て活動量計に転送し、活動量計は特定生体情報データが転送されるたびに、特定生体情報データメモリを書き換える構成とした。【選択図】図１
0003178848.tif 000002
【実用新案登録請求の範囲】
【請求項１】
使用者の活動量を測定し使用者番号を含む活動量データとして送信する活動量計と、活動量以外の生体情報を測定し生体情報データとして送信する生体情報測定手段と、前記活動量計から送信される前記使用者番号を含む前記活動量データおよび前記生体情報測定手段から送信される前記生体情報データを記憶するデータ記憶部を備えた情報通信端末とを有する健康増進装置において、
前記情報通信端末は、前記活動量計から送信される前記使用者番号に基づき、前記生体情報測定手段から送信される生体情報データを識別して前記データ記憶部に記憶する記憶制御手段と、前記生体情報測定手段によって測定された前記生体情報データの中の特定生体情報データを前記活動量計に転送する特定生体情報データ転送手段とを備えると共に、前記活動量計は、前記情報通信端末の前記特定生体情報データ転送手段から転送された前記特定生体情報データを受信する通信部と、前記通信部によって受信された前記特定生体情報データを記憶する特定生体情報データメモリと、前記情報通信端末から前記特定生体情報データが転送されるたびに、前記特定生体情報データメモリを書き換える特定生体情報データ書き換え部とを備えたことを特徴とする健康増進装置。
【請求項２】
前記情報通信端末は、前記活動量計または前記生体情報測定手段のいずれか一方による測定の後に、引き続き他方による測定を督促するメッセージ発生手段を有していることを特徴とする請求項１に記載の健康増進装置。
【請求項３】
前記生体情報測定手段は、血圧計または体組成計を含む体重計または血糖計または体温計の何れかであるか、血圧計または体組成計を含む体重計または血糖計または体温計の中の何れか複数の組み合わせであることを特徴とする請求項１または請求項２に記載の健康増進装置。
【考案の詳細な説明】
【技術分野】
【０００１】
本考案は、血圧計や体重計や活動量計のデータを情報通信端末で記憶管理すると共に、これらにデータを医療機関に送って健康増進に役立てる健康増進装置に関する。
【背景技術】
【０００２】
日常の健康増進のためには、日頃の身体の生体情報を遅滞なく記憶し管理することが最も望ましい。
このため、たとえば下記の特許文献１に、血圧計や体重計や活動量計の生体データを情報通信端末等で集め、ネットで医療機関に送り医師がアドバイスする技術が開示されている。
【０００３】
図４は特許文献１に開示された健康管理支援システム２００の構成図である。
この健康管理支援システム２００は、予め定められた期間毎の人体の活動量を測定する活動量計２と、血圧計３２、体重計３１等の他のセンサ８００とを含み、測定した生体情報を送信可能なセンサ７００を備える。サーバー装置１００は、通信網を介してセンサ７００から活動量を含む生体情報を受信して記憶する。医師端末６００は、サーバー装置１００に記録された生体情報を閲覧可能である。これにより、医師は血圧、血糖値等の生体情報を被検者の活動量と関連付け把握することできる。
【先行技術文献】
【特許文献】
【０００４】
【特許文献１】特開２００６−２５４９４８号公報
【考案の概要】
【考案が解決しようとする課題】
【０００５】
特許文献１に開示された健康管理支援システムでは、活動量計や血圧計や体重計等の計測機器の、各々の測定結果を他の機器に反映させていない。たとえば活動量は体重に比例するが、特許文献１に開示された健康管理支援システムでは、体重計３１による体重測定の結果を活動量計２に反映していないので、刻々と変わる体重変化に対応できず、正確な活動量データを算出できないという課題がある。また使用者に活動量計や血圧計や体重計の全ての測定を確実に行わせるための工夫がないことや、集団検診など多数の使用者がいる場合に測定データの識別を行いにくいという課題がある。
【０００６】
本考案の目的は上記課題を解決し、使用者の刻々と変わる体重を反映した活動量と、その他の血圧計や体重計等による生体情報を確実に、かつ毎日遅滞なく測定することが可能で、又集団検診など使用者が多数の場合でも測定データの識別が容易な健康増進装置を提供することにある。
【課題を解決するための手段】
【０００７】
上記課題を解決するため、本考案に係る健康増進装置は下記の構成を採用する。
【０００８】
本考案の健康増進装置は、使用者の活動量を測定し使用者番号を含む活動量データとして送信する活動量計と、活動量以外の生体情報を測定し生体情報データとして送信する生体情報測定手段と、前記活動量計から送信される前記使用者番号を含む前記活動量データおよび前記生体情報測定手段から送信される前記生体情報データを記憶するデータ記憶部を備えた情報通信端末とを有する健康増進装置において、前記情報通信端末は、前記活動量計から送信される前記使用者番号に基づき、前記生体情報測定手段から送信される生体情報データを識別して前記データ記憶部に記憶する記憶制御手段と、前記生体情報測定手段によって測定された前記生体情報データの中の特定生体情報データを前記活動量計に転送する特定生体情報データ転送手段とを備えると共に、前記活動量計は、前記情報通信端末の前記特定生体情報データ転送手段から転送された前記特定生体情報データを受信する通信部と、前記通信部によって受信された前記特定生体情報データを記憶する特定生体情報データメモリと、前記情報通信端末から前記特定生体情報データが転送されるたびに、前記特定生体情報データメモリを書き換える特定生体情報データ書き換え部とを備えたことを特徴とする。
【０００９】
また、前記情報通信端末は、前記活動量計または前記生体情報測定手段のいずれか一方による測定の後に、引き続き他方による測定を督促するメッセージ発生手段を有していることが望ましい。
【００１０】
さらに、前記生体情報測定手段は、血圧計または体組成計を含む体重計または血糖計または体温計の何れかであるか、血圧計または体組成計を含む体重計または血糖計または体温計の中の何れか複数の組み合わせであってもよい。
【考案の効果】
【００１１】
本考案に係る健康増進装置によれば、使用者の刻々と変わる体重を反映した活動量と、血圧計や体重計による生体情報を確実にかつ毎日遅滞なく測定することが可能となり、また、集団検診など使用者が多数の場合でも、測定データの識別が容易な健康増進装置を提供することが可能となる。
【図面の簡単な説明】
【００１２】
【図１】本考案に係る健康増進装置の全体の構成を示すブロック図である。
【図２】本考案に係る健康増進装置における活動量計の構成を示すブロック図である。
【図３】本考案に係る健康増進装置の動作を示すフローチャートである。
【図４】従来例の健康管理支援システムの構成を示すブロック図である。
【考案を実施するための形態】
【００１３】
本考案に係る健康増進装置は、体重計で測定した体重データで、活動量計に記憶されている体重データを書き換えて正確な活動量を算出し、また体重計や血圧計や活動量計の何れかの測定が終わると未だ測定が終わっていない測定項目を使用者に知らせ、活動量計に記憶されている使用者番号を用いて使用者の測定データを識別管理するものである。
【００１４】
以下、図１から図３を用いて本考案に係る健康増進装置の第１の実施形態を詳細に説明する。
【００１５】
図１において、健康増進装置１は、活動量計２と、生体情報測定手段３と、情報通信端末５と、リーダライタ５３とから構成される。さらに、情報通信端末５は特定生体情報データ転送手段５１と、メッセージ発生手段５２を備えている。また、この実施形態の場合、生体情報測定手段３は、体重計３１と、血圧計３２とを有している。
【００１６】
活動量計２は、使用者の歩行や身体の日常の動きを検出し、内蔵する計時手段（図示せず）によるカレンダ情報とともに歩数や運動による消費カロリを表示し、かつ内蔵する非接触データ通信手段により外部に発信する。なお、活動量計２の詳細は後述する。
【００１７】
生体情報測定手段３が具備する体重計３１は、使用者の体重データＷｄを表示し、かつ内蔵する無線通信手段（図示せず）により情報通信端末５に当該体重データＷｄを送信する。
【００１８】
血圧計３２は、血圧データＢｄを表示し、かつ内蔵する無線通信手段（図示せず）により情報通信端末５に当該血圧データＢｄを送信する。
【００１９】
情報通信端末５は、リーダライタ５３を介して活動量計２から送信されるカレンダ情報を含んだ活動量データＫｄと、前記体重計３１および血圧計３２から無線送信される体重データＷｄおよび血圧データＢｄを送受信するための送受信機能（図示せず）を有している。
【００２０】
また、情報通信端末５は、内部に特定生体情報データ転送手段５１をソフトウエアの形で備えると共に、メッセージ発生手段５２をソフトウエアとハードウエアの形で備えている。なお、情報通信端末５はパーソナルコンピュータや、タブレット端末などで構成される。
【００２１】
情報通信端末５の特定生体情報データ転送手段５１は、体重計３１から送信される体重データＷｄを特定生体情報データとしてリーダライタ５３を経由して活動量計２に送信する。メッセージ発生手段５２は、使用者に対する測定の督促やエラー発生や注意の報知を音声で行うものである。
【００２２】
次に、図２を用いて活動量計２の構成を詳述する。なお、図２は本考案による活動量計２の構成を示すブロック図である。
【００２３】
図２において、活動量計２は、体動センサ２１と、個人データ設定部２２と、マイクロプロセッサ２３と、記憶部２４と、通信部２５と、表示器２６と、電池２７とで構成される。なお、説明のため、情報通信端末５の周辺機器であるリーダライタ５３を点線で示してある。
【００２４】
前記体動センサ２１はｘｙｚの３軸の加速度センサで、使用者の体の動きによる体動信号Ｔｓを出力する。
また、個人データ設定部２２は使用者の年令、性別、身長および体重データＷｄからなる個人データを数値設定で入力するための機械的なスイッチである。
【００２５】
マイクロプロセッサ２３は、プログラムメモリ（図示せず）に記憶されたプログラムに従って、体動センサ２１が出力する体動信号Ｔｓと、個人データ設定部２２が出力する体重データＷｄを含む個人データとから活動量データＫｄを算出し、表示器２６に表示すると共に、通信部２５により前記特定生体情報データ転送手段５１を経由して情報通信端末５に送信する。特定生体情報データ書き換え部２３１については後述する。
【００２６】
記憶部２４は、使用者番号Ｉｄや体重データＷｄを含む個人データや、活動量データＫｄや、マイクロプロセッサ２３が内蔵する計時手段（図示せず）によるカレンダ情報や、マイクロプロセッサ２３の演算処理に必要なデータ類を記憶する不揮発メモリである。
【００２７】
通信部２５は、非接触データ通信方式を用いて活動量データＫｄやカレンダ情報や使用者番号Ｉｄを、リーダライタ５３を介して情報通信端末５に送信し、かつ情報通信端末５から体重データＷｄを、リーダライタ５３を介して受信する。
【００２８】
この体重データＷｄは、個人データ設定部２２によって数値で入力された体重データＷｄとは異なり、図１に示す体重計３１によって実際に測定された体重データＷｄであり、使用者の活動量をより正確に算出する特定生体情報データなので、マイクロプロセッサ２３の特定生体情報データ書き換え部２３１によって、それまで記憶されていた体重データＷｄに代わって記憶部２４の特定生体情報データメモリ２４１に記憶される。
【００２９】
表示器２６は液晶表示器で構成され、活動量データＫｄやカレンダ情報などを表示する。また、電池２７は活動量計２の全体を駆動するボタン電池である
【００３０】
次に、図１〜図３を用いて上記健康増進装置１の動作を説明する。
図３は健康増進装置１の動作を説明するフローチャートである。
【００３１】
使用者の歩行や運動によって図２に示す体動センサ２１が体動信号Ｔｓを出力し、マイクロプロセッサ２３が活動量データＫｄを算出し記憶部２４にカレンダ情報とともに記憶する。使用者が歩行を終了し、活動量計２を図１に示すリーダライタ５３に載置する。（Ｓ１）
【００３２】
情報通信端末５のリーダライタ５３と活動量計２の通信部２５によって通信が開始され、まず活動量計２から送られる使用者番号Ｉｄを情報通信端末５が認識する。（Ｓ２）
【００３３】
情報通信端末５はメッセージ発生手段５２によって、たとえば「Ｉｄ番号ｘｘｘさんこんにちは、体重計に載って下さい。」と報知する。（Ｓ３）
【００３４】
使用者は体重計３１に乗り体重を測定する。体重測定が完了し体重計３１が体重データＷｄを情報通信端末５に送信すると情報通信端末５は体重データＷｄを使用者番号Ｉｄ別に記憶する。（Ｓ４）
【００３５】
次に、情報通信端末５はメッセージ発生手段５２によって、「血圧を測って下さい。」と報知する。（Ｓ５）
【００３６】
使用者は血圧計３２を用いて血圧を測定する。血圧測定が完了し血圧計３２が血圧データＢｄを情報通信端末５に送信すると、情報通信端末５は血圧データＢｄを使用者番号Ｉｄ別に記憶する。（Ｓ６）
【００３７】
使用者によって血圧計や体重計の測定が正しく完了すると、情報通信端末５のメッセージ発生手段５２は、「活動量計をもう一度リーダライタに載せて下さい。」と報知する。（Ｓ７）
【００３８】
上記ステップに続いて使用者が活動量計２をリーダライタ５３に載置する。（Ｓ８）
【００３９】
情報通信端末５の特定生体情報データ転送手段５１によって最新の体重データＷｄが活動量計２に転送される（Ｓ９）
【００４０】
活動量計２のマイクロプロセッサ２３の特定生体情報データ書き換え部２３１は、通信部２５を介して受信した最新の体重データＷｄを記憶部２４の特定生体情報データメモリ２４１に記憶し、さらに必要に応じて最新の体重データＷｄを用いて活動量データＫｄを算出し通信部２５からリーダライタ５３を通じて情報通信端末５に送信する。なお、使用者の体重変化が急激でない場合は、前述した「最新の体重データＷｄを用いた活動量データＫｄの算出」は省略することが出来る。（Ｓ１０）
【００４１】
情報通信端末５は、以上Ｓ１からＳ１０のプロセスを通じて、活動量計から送信された使用者番号Ｉｄをいわば「荷札」として、当該使用者固有の活動量データＫｄや体重データＷｄや血圧データＢｄを一括まとめて記憶し保存する。
その後情報通信端末５は内蔵するインターネット接続機能（図示せず）によって活動量データＫｄや体重データＷｄや血圧データＢｄを離れた地点の医療機関や健康保険組合などに送信する。
医療機関や健康保険組合などは送られた前記データに基づき健康指導を行う。（Ｓ１１）
【００４２】
以上のように、本考案に係る健康増進装置１は使用者の健康関連データを離れた場所に送り、医療機関や健康保険組合によって使用者に対し健康増進のための指導が展開される。
【００４３】
このように、本考案に係る健康増進装置によれば、使用者の刻々と変わる体重を反映した活動量と血圧計などによる生体情報を漏れることなく確実に測定することが可能となる。
【００４４】
また、多くの使用者がいる集団検診などでは、通常の体重計や血圧計は多数の識別番号を付与する機能が備わっていないので、体重計や血圧計の測定データは使用者毎に誤りなく割り付ける必要がある。しかるに本考案に従えば、集団検診の初めに活動量計により情報通信端末が使用者番号を認識し、記憶部の所定の領域にこれらを記憶するので、測定データの割り付けミスを生じない仕組みが提供される。
【符号の説明】
【００４５】
１：健康増進装置
２：活動量計
２１：体動センサ
２２：個人データ設定部
２３：マイクロプロセッサ
２３１：特定生体情報データ書き換え部
２４：記憶部
２４１：特定生体情報データメモリ
２５：通信部
２６：表示器
２７：電池
３：生体情報測定手段
３１：体重計
３２：血圧計
５：情報通信端末
５１：特定生体情報データ転送手段
５２：メッセージ発生手段
５３：リーダライタ
Ｔｓ：体動信号
Ｗｄ：体重データ
Ｂｄ：血圧データ
Ｉｄ：使用者番号
Ｋｄ：活動量データ
【図１】
0003178848.tif 000003
【図２】
0003178848.tif 000004
【図３】
0003178848.tif 000005
【図４】
0003178848.tif 000006